(57)【要約】【課題】洗浄ノズルの位置に依らず、被洗浄物全体をバラつきなく洗浄できる洗浄器を提供する。【解決手段】洗浄槽内に洗浄ノズル３を設け、この洗浄ノズル３から液体を噴射させて被洗浄物を洗浄する洗浄器である。洗浄ノズル３は、長手方向中央部が支持部材に、縦軸まわりに回転可能に保持される。洗浄ノズル３には、ノズル孔１１として、長手方向に間隔をあけて複数の丸孔１１Ａが形成されると共に、長手方向中央部の側に、長手方向に沿ったスリット孔１１Ｂが形成されている。長手方向中央部の側のノズル孔１１をスリット孔１１Ｂとすることで、洗浄ノズル３の回転の中心部の側での液体の噴射流量を抑えて、その他のノズル孔１１からの噴射に回すことができる。しかも、スリット孔１１Ｂから扇形に噴射することができ、小流量でも広範囲の洗浄が可能となる。【選択図】図４
2018202315.tif 000002
【特許請求の範囲】
【請求項１】
被洗浄物が収容される洗浄槽と、
この洗浄槽内に支持部材を介して保持され、前記支持部材を介して供給される液体を噴射させるノズル孔が形成された洗浄ノズルとを備え、
前記洗浄ノズルは、長手方向中央部が前記支持部材に、縦軸まわりに回転可能に保持され、
前記洗浄ノズルには、前記ノズル孔として、長手方向に間隔をあけて複数の丸孔が形成されると共に、長手方向中央部の側に、長手方向に沿ったスリット孔が形成されている
ことを特徴とする洗浄器。
【請求項２】
前記洗浄ノズルには、長手方向中央部から外端部までの距離の１／３〜１／４の領域に、前記スリット孔が形成されている
ことを特徴とする請求項１に記載の洗浄器。
【請求項３】
前記洗浄ノズルの長手方向中央部を境に、前記洗浄ノズルの長手方向一方には、短手方向一側面に前記丸孔が形成される一方、前記洗浄ノズルの長手方向他方には、短手方向他側面に前記丸孔が形成され、
前記洗浄ノズルの長手方向一方および／他方には、上面および／または下面に前記スリット孔が形成されている
ことを特徴とする請求項１または請求項２に記載の洗浄器。
【請求項４】
被洗浄物が収容される洗浄槽と、
この洗浄槽内に支持部材を介して保持され、前記支持部材を介して供給される液体を噴射させるノズル孔が形成された洗浄ノズルとを備え、
前記洗浄ノズルは、長手方向中央部が前記支持部材に、縦軸まわりに回転可能に保持され、
前記洗浄ノズルには、前記ノズル孔として、長手方向に間隔をあけて複数の孔が形成されると共に、長手方向中央部の側に、長手方向に沿ったスリット孔が形成されており、
前記スリット孔の断面積は、前記複数の孔のそれぞれの断面積よりも小さい
ことを特徴とする洗浄器。
【発明の詳細な説明】
【技術分野】
【０００１】
本発明は、被洗浄物に液体を噴射して洗浄する洗浄器に関するものである。
【背景技術】
【０００２】
従来、下記特許文献１に開示されるように、噴射式の洗浄器が知られている。当該文献の図１に基づき説明すると、洗浄器は、被洗浄物が収容される洗浄槽（２）と、この洗浄槽内に設けられる支持部材（１２）に回転可能に保持され、この支持部材を介して供給される液体を噴射させるノズル孔が形成された洗浄ノズル（３）と、洗浄槽内の下部に連接された液貯留部（４）と、この液貯留部の液体を洗浄ノズルの支持部材へ循環供給する循環手段（８）とを備える。そして、洗浄ノズル（３）は、鉛直方向へ沿う軸まわりに回転可能に、長手方向中央部が支持部材（１２）に保持され、鉛直方向以外に液体を噴射させるノズル孔を有する中空部材から形成される。
【０００３】
特許文献１に開示される洗浄器では、洗浄ノズルに形成されるノズル孔は、丸孔とされている。一方、下記特許文献２に開示される洗浄器では、洗浄ノズルに形成されるノズル孔は、長孔とされている。いずれにしても、従来は、同一の形状および大きさの孔が、洗浄ノズルに等間隔に形成されている。
【先行技術文献】
【特許文献】
【０００４】
【特許文献１】特開２０１７−７０８８２号公報（請求項１、図面）
【特許文献２】特開２０１０−３５７７４号公報（段落［００１５］、図２）
【発明の概要】
【発明が解決しようとする課題】
【０００５】
この種の洗浄器では、洗浄ノズルからの液体を万遍なく被洗浄物に当てて、洗浄不良を防止する必要がある。ところが、洗浄ノズルは、長手方向中央部を中心に回転するため、洗浄ノズルの中心からの距離に応じて、被洗浄物に当たる液体の流量が変化する。
【０００６】
すなわち、洗浄ノズルの中心から端部へ向けて、単に一定間隔で同一径のノズル孔を形成しただけでは、洗浄ノズルの端部へ行くほど、被洗浄物に当たる液体の流量が減少する。つまり、洗浄ノズルが一回転する際に、各ノズル孔からの噴射液が当たる領域（端的にいえば円環帯状の被洗浄領域）は、外周部ほど広くなり、単位面積当たりへの液体の噴射流量が減少する。
【０００７】
そのため、洗浄ノズルの中心部では液体が過剰で、外端部では液体が不足するおそれがある。また、洗浄力は、被洗浄物に当たる液体の流量に左右されるため、洗浄ノズルの中心付近と端部とで、洗浄力にバラつきが生じることになる。
【０００８】
そこで、本発明が解決しようとする課題は、洗浄ノズルの位置に依らず、被洗浄物全体をバラつきなく洗浄できる洗浄器を提供することにある。
【課題を解決するための手段】
【０００９】
本発明は、前記課題を解決するためになされたもので、請求項１に記載の発明は、被洗浄物が収容される洗浄槽と、この洗浄槽内に支持部材を介して保持され、前記支持部材を介して供給される液体を噴射させるノズル孔が形成された洗浄ノズルとを備え、前記洗浄ノズルは、長手方向中央部が前記支持部材に、縦軸まわりに回転可能に保持され、前記洗浄ノズルには、前記ノズル孔として、長手方向に間隔をあけて複数の丸孔が形成されると共に、長手方向中央部の側に、長手方向に沿ったスリット孔が形成されていることを特徴とする洗浄器である。
【００１０】
請求項１に記載の発明によれば、洗浄ノズルには、ノズル孔として、長手方向に間隔をあけて複数の丸孔が形成されると共に、長手方向中央部の側に、長手方向に沿ったスリット孔が形成される。長手方向中央部の側のノズル孔をスリット孔とすることで、洗浄ノズルの回転の中心部の側での液体の噴射流量を抑えて、その他のノズル孔からの噴射に回すことができる。しかも、スリット孔は、洗浄ノズルの長手方向に沿って形成されているので、スリット孔から扇形に噴射することができ、小流量でも広範囲の洗浄が可能となる。このようにして、洗浄ノズルの位置に依らず、被洗浄物全体をバラつきなく洗浄することができる。
【００１１】
請求項２に記載の発明は、前記洗浄ノズルには、長手方向中央部から外端部までの距離の１／３〜１／４の領域に、前記スリット孔が形成されていることを特徴とする請求項１に記載の洗浄器である。
【００１２】
請求項２に記載の発明によれば、洗浄ノズルには、長手方向中央部から外端部までの距離の１／３〜１／４の領域に、スリット孔が形成されるので、洗浄ノズルの中心部の側での液体の噴射流量を抑えて、その他のノズル孔からの噴射に回すことができる。これにより、洗浄ノズルの位置に依らず、被洗浄物全体をバラつきなく洗浄することができる。
【００１３】
請求項３に記載の発明は、前記洗浄ノズルの長手方向中央部を境に、前記洗浄ノズルの長手方向一方には、短手方向一側面に前記丸孔が形成される一方、前記洗浄ノズルの長手方向他方には、短手方向他側面に前記丸孔が形成され、前記洗浄ノズルの長手方向一方および／他方には、上面および／または下面に前記スリット孔が形成されていることを特徴とする請求項１または請求項２に記載の洗浄器である。
【００１４】
請求項３に記載の発明によれば、洗浄ノズルの長手方向中央部を境に、洗浄ノズルの長手方向一方には、短手方向一側面に丸孔が形成される一方、洗浄ノズルの長手方向他方には、短手方向他側面に丸孔が形成されることで、丸孔からの噴流により、洗浄ノズルを長手方向中央部まわりに容易に回転させることができる。一方、スリット孔は、洗浄ノズルの上面および／または下面に形成されるので、加工が容易であると共に、少ない面積で被洗浄物への噴射を確実に行うことができる。
【００１５】
さらに、請求項４に記載の発明は、被洗浄物が収容される洗浄槽と、この洗浄槽内に支持部材を介して保持され、前記支持部材を介して供給される液体を噴射させるノズル孔が形成された洗浄ノズルとを備え、前記洗浄ノズルは、長手方向中央部が前記支持部材に、縦軸まわりに回転可能に保持され、前記洗浄ノズルには、前記ノズル孔として、長手方向に間隔をあけて複数の孔が形成されると共に、長手方向中央部の側に、長手方向に沿ったスリット孔が形成されており、前記スリット孔の断面積は、前記複数の孔のそれぞれの断面積よりも小さいことを特徴とする洗浄器である。
【００１６】
請求項４に記載の発明によれば、洗浄ノズルには、ノズル孔として、長手方向に間隔をあけて複数の孔が形成されると共に、長手方向中央部の側に、長手方向に沿ったスリット孔が形成される。長手方向中央部の側のノズル孔をスリット孔として、他のノズル孔よりも断面積を小さくすることで、洗浄ノズルの回転の中心部の側での液体の噴射流量を抑えて、他のノズル孔からの噴射に回すことができる。しかも、スリット孔は、洗浄ノズルの長手方向に沿って形成されているので、スリット孔から扇形に噴射することができ、小流量でも広範囲の洗浄が可能となる。このようにして、洗浄ノズルの位置に依らず、被洗浄物全体をバラつきなく洗浄することができる。
【発明の効果】
【００１７】
本発明の洗浄器によれば、洗浄ノズルの位置に依らず、被洗浄物全体をバラつきなく洗浄することができる。
【図面の簡単な説明】
【００１８】
【図１】本発明の一実施例の洗浄器を示す概略図であり、一部を断面にして示している。
【図２】図１の洗浄器に用いられる洗浄ノズルの一例を示す概略平面図である。
【図３】図２の洗浄ノズルの概略正面図である。
【図４】図２の洗浄ノズルの概略斜視図であり、一部を省略して示している。
【発明を実施するための形態】
【００１９】
以下、本発明の具体的実施例を図面に基づいて詳細に説明する。
図１は、本発明の一実施例の洗浄器１を示す概略図であり、一部を断面にして示している。
【００２０】
以下、まずは、洗浄器１の全体構成と運転方法について説明し、その後、本発明の特徴部である洗浄ノズル３について説明する。なお、以下では、説明の便宜上、図１における左右方向を洗浄器１の左右方向とし、図１における上下方向を洗浄器１の上下方向とし、図１における紙面と直交方向を洗浄器１の前後方向（手前側が前方）として説明する。
【００２１】
本実施例の洗浄器１は、被洗浄物が収容される洗浄槽２と、この洗浄槽２内の被洗浄物へ液体を噴射する洗浄ノズル３と、洗浄槽２内の下部に連接された液貯留部４と、液貯留部４への給水手段５と、液貯留部４からの排水手段６と、液貯留部４への薬液供給手段７と、液貯留部４の液体を洗浄ノズル３へ供給する循環手段８と、液貯留部４の液体を加熱する加熱手段９と、これら各手段５〜９を制御する制御手段（図示省略）とを備える。
【００２２】
被洗浄物は、特に問わないが、たとえば鉗子などの医療器具である。洗浄槽２内には、上下複数段に洗浄ノズル３が設けられるが、被洗浄物は上下の洗浄ノズル３間に配置される。この際、被洗浄物は、格子状（または網状）の棚に載せられる。また、被洗浄物は、所望によりバスケットなどに収容されていてもよい。
【００２３】
洗浄槽２は、被洗浄物が収容される中空容器である。洗浄槽２は、本実施例では略矩形の中空ボックス状である。洗浄槽２は、ドア（図示省略）により開閉可能とされる。ドアを開けることで、洗浄槽２に対し被洗浄物を出し入れすることができる。ドアは、洗浄槽２の正面に設けられるが、洗浄槽２の正面および背面の双方に設けられてもよい。
【００２４】
洗浄ノズル３は、洗浄槽２内の被洗浄物へ液体を噴射する。洗浄ノズル３は、洗浄槽２内に、上下複数段に設けられる。本実施例では、洗浄槽２の一側部に、上下複数段にアーム状の支持部材１０の基端部が保持され、各支持部材１０は、洗浄槽２の一側部から左右方向中央部へ向けて延出する。そして、その延出先端部に、洗浄ノズル３の長手方向中央部が鉛直軸まわりに回転可能に保持される。
【００２５】
詳細は図２〜図４に基づき後述するが、洗浄ノズル３は、支持部材１０内を介して供給される液体を噴射させるノズル孔１１（図２〜図４）を複数形成されている。支持部材１０を介して洗浄ノズル３内に液体が供給されると、その液体は洗浄ノズル３のノズル孔１１から噴射される。この噴流により、洗浄ノズル３は、支持部材１０の端部の軸受部まわりに回転する。なお、洗浄槽２内の上端部に設けられる洗浄ノズル３は、下方へのみ液体を噴射し、洗浄槽２内の下端部に設けられる洗浄ノズル３は、上方へのみ液体を噴射し、上下両端部以外の洗浄ノズル３は、上下両方へ液体を噴射する。
【００２６】
ところで、図１において一点鎖線で示すように、洗浄槽２に対し洗浄ラック１２を出し入れ可能としてもよい。図示例では、上下両端部に設けられる洗浄ノズル３は、洗浄槽２自体に設けられ、それ以外の洗浄ノズル３は、洗浄ラック１２に設けられている。洗浄ラック１２には、一側部に配水部材１３が設けられており、その配水部材１３に上下複数段に支持部材１０が設けられ、各支持部材１０に洗浄ノズル３が回転可能に保持されている。また、洗浄ラック１２には、各洗浄ノズル３の上部と洗浄ラック１２の下部とに、被洗浄物の載置棚が設けられている。洗浄槽２内に洗浄ラック１２を格納すると、後述する循環ポンプ１４からの配管が、配水部材１３に接続される。
【００２７】
洗浄槽２内の下部には、液貯留部４が連接されている。言い換えれば、洗浄槽２は、下部に液貯留部４を備える。本実施例では、洗浄槽２の下壁は、左右両端部が左右方向内側へ行くに従って下方へ傾斜する傾斜面２ａに形成されると共に、前後両端部が前後方向内側へ行くに従って下方へ傾斜する傾斜面に形成されている。そして、洗浄槽２の左右方向中央部で且つ前後方向中央部には、下方へ略矩形状に凹んで凹部が形成されており、この凹部を含んだ形で、洗浄槽２内の下部が液貯留部４とされる。
【００２８】
給水手段５は、給水路１５を介して、液貯留部４に水を供給する。給水路１５には、給水弁１６が設けられている。給水弁１６を開けることで、液貯留部４に給水することができる。図示例では、洗浄槽２に給水路１５を接続することで、給水は洗浄槽２を介して液貯留部４に供給されるが、液貯留部４に給水路１５を接続することで、給水は液貯留部４に直接に供給されてもよい。なお、給水手段５は、複数種の水（たとえば水道水、温水、膜濾過水など）から選択された水を供給可能に構成されてもよい。
【００２９】
排水手段６は、液貯留部４から排水路１７を介して水を排出する。排水路１７には、排水弁１８が設けられている。排水弁１８を開けることで、洗浄槽２や液貯留部４から排水することができる。
【００３０】
薬液供給手段７は、薬液タンク１９から給液路２０を介して、液貯留部４に薬液を供給する。給液路２０には、薬液ポンプ２１が設けられている。薬液ポンプ２１を作動させることで、設定量の薬液を液貯留部４に供給することができる。図示例では、液貯留部４に給液路２０を接続することで、薬液は液貯留部４に直接に供給されるが、洗浄槽２に給液路２０を接続することで、薬液は洗浄槽２を介して液貯留部４に供給されてもよい。なお、薬液供給手段７は、複数種の薬液（たとえばアルカリ性洗剤、酵素配合洗剤、潤滑防錆剤、乾燥促進剤など）から選択された薬液を供給可能に構成されてもよい。
【００３１】
循環手段８は、液貯留部４の液体を洗浄ノズル３へ循環供給する。具体的には、循環手段８は、循環配管２２と循環ポンプ１４とを備える。循環配管２２は、液貯留部４から各洗浄ノズル３の支持部材１０への配管であり、その途中に循環ポンプ１４が設けられている。なお、図示例では、循環配管２２の内、液貯留部４から循環ポンプ１４への配管は、上流側において、排水路１７と共通管路とされている。また、循環配管２２の内、循環ポンプ１４の出口側には、逆止弁２３が設けられている。循環ポンプ１４を作動させると、液貯留部４の液体を、循環配管２２および支持部材１０を介して洗浄ノズル３へ供給して噴射し、洗浄槽２内下部の液貯留部４へ戻すことができる。
【００３２】
加熱手段９は、本実施例では、液貯留部４に設けられたヒータ２４から構成される。ヒータ２４は、図示例では電気ヒータであるが、場合により蒸気ヒータであってもよい。電気ヒータの場合、典型的にはオンオフ制御されるが、場合により出力を調整されてもよい。一方、蒸気ヒータの場合、蒸気管内に蒸気が供給可能とされ、蒸気の凝縮水は蒸気トラップを介して外部へ排出される。そして、給蒸路に設けた給蒸弁の開閉または開度が制御される。
【００３３】
液貯留部４には、液位検出器２５が設けられる。液位検出器２５は、その構成を特に問わないが、たとえば、液貯留部４の底部に設置した圧力センサから構成される。この場合、液貯留部４や洗浄槽２内の液位に応じて、水圧が変わることを利用して液位を把握する。
【００３４】
液貯留部４には、温度センサ２６が設けられる。温度センサ２６の検出温度に基づきヒータ２４を制御することで、液貯留部４の貯留液の温度を調整することができる。
【００３５】
その他、洗浄器１には、所望により、超音波振動子２７が設けられる。図示例では、洗浄槽２の下部の左右の傾斜面２ａに、それぞれ超音波振動子２７が設けられている。超音波振動子２７は、超音波発振器に接続されて、発振を制御される。
【００３６】
制御手段は、前記各手段５〜９の他、液位検出器２５および温度センサ２６などに接続された制御器（図示省略）である。具体的には、給水弁１６、排水弁１８、薬液ポンプ２１、循環ポンプ１４、ヒータ２４、超音波発振器、液位検出器２５および温度センサ２６などは、制御器に接続されている。そして、制御器は、所定の手順（プログラム）に従い、洗浄槽２内の被洗浄物の洗浄を図る。この際、少なくとも、次に述べるシャワー洗浄動作を実行可能とされる。
【００３７】
シャワー洗浄動作では、液貯留部４内に液体を貯留し、その液体を循環手段８により洗浄ノズル３へ循環供給して、洗浄ノズル３から被洗浄物に噴射する。具体的には、まず、液位検出器２５が設定水位を検出するまで、給水手段５により液貯留部４に給水する。また、必要に応じて、薬液供給手段７により液貯留部４に所望の薬液を投入する。薬液供給手段７による薬液は、給水手段５による給水に対し、設定濃度になるように設定量だけ投入される。さらに、同じく必要に応じて、加熱手段９により、液貯留部４内の貯留水を設定温度まで加熱する。薬液の投入や貯留水の加熱は、循環手段８の作動前に限らず、循環手段８の作動中に行ってもよい。いずれにしても、液貯留部４に所望量の液体を貯留した状態で、循環ポンプ１４を作動させて、貯留液を循環配管２２および支持部材１０を介して洗浄ノズル３へ供給して噴射し、洗浄ノズル３を回転させながら被洗浄物を洗浄する。そして、各洗浄ノズル３から噴射された液体は、洗浄槽２下部の液貯留部４へ戻される。所定の終了条件（たとえば設定時間の経過）を満たすと、循環ポンプ１４を停止して、液貯留部４内の液体を排水手段６により排出する。そして、所望により、このようなシャワー洗浄動作を繰り返して、被洗浄物を洗浄および濯ぎする。たとえば、薬液を投入しない常温水による予備洗浄、所望により洗剤を投入した温水による本洗浄（典型的には複数回）、所望により濯ぎ剤を投入した温水による濯ぎ洗浄（典型的には複数回）などが順次になされる。
【００３８】
次に、本実施例の洗浄器１に用いられる洗浄ノズル３の具体例について説明する。
図２〜図４は、本実施例の洗浄ノズル３の一例を示す概略図であり、図２は平面図、図３は正面図、図４は一部を省略した斜視図である。以下において、洗浄ノズル３の長手方向とは、図２における左右方向（長さ方向）であり、洗浄ノズル３の短手方向とは、図２における上下方向（幅方向）である。
【００３９】
洗浄ノズル３は、細長い中空部材から形成され、前述したとおり、長手方向中央部が支持部材１０に、縦軸まわりに回転可能に（つまり水平方向に回転可能に）保持される。洗浄ノズル３には、ノズル孔１１（丸孔１１Ａ，１１Ａ´，スリット孔１１Ｂ）が形成される。このノズル孔１１は、洗浄ノズル３の上下面、短手方向の側面、および長手方向の端面のいずれか一以上の面に形成される。この際、少なくとも一つのノズル孔１１は、上下方向以外に（つまり真上および真下以外に）液体を噴出するよう形成される。これにより、そのノズル孔１１からの噴流で、洗浄ノズル３を回転させることができる。
【００４０】
本実施例では、洗浄ノズル３には、ノズル孔１１として、長手方向に間隔をあけて複数の丸孔１１Ａが形成されると共に、長手方向中央部の側に、長手方向に沿ったスリット孔１１Ｂが形成される。なお、洗浄ノズル３は、長手方向両端部が閉塞された筒材から形成される。この筒材の断面は、略楕円形状などでもよいが、本実施例では略矩形状とされる。この場合、洗浄ノズル３は、略矩形断面の長辺が水平に配置され、短辺が鉛直に配置される。そして、洗浄ノズル３には、典型的には、長手方向に沿って所定間隔で、丸孔１１Ａが形成される。一方、スリット孔１１Ｂについては、丸孔１１Ａと所定間隔を保つ必要はない。
【００４１】
図示例では、洗浄ノズル３の長手方向中央部を境に、洗浄ノズル３の長手方向一方（図２の左半分）には、短手方向一側面に丸孔１１Ａが形成される一方、洗浄ノズル３の長手方向他方（図２の右半分）には、短手方向他側面に丸孔１１Ａが形成される。この際、洗浄ノズル３の中心（長手方向中央部で且つ短手方向中央部）を境に、点対称となるように、同一の形状および大きさの丸孔１１Ａが、所定間隔で形成されるのがよい。また、図示例では、洗浄ノズル３の長手方向両端面にも、丸孔１１Ａ´が形成されている。
【００４２】
洗浄ノズル３は、短手方向の側面や長手方向の端面が、鉛直面（洗浄ノズル３の上下面に対し垂直な面）であってもよいが、図示例では傾斜面３ａ，３ｂに形成されている。そして、その傾斜面３ａ，３ｂに、ノズル孔１１としての丸孔１１Ａ，１１Ａ´が形成されている。具体的には、洗浄ノズル３の短手方向両端部には、短手方向外側へ行くに従って上下方向内側へ傾斜する傾斜面３ａが形成されており、その傾斜面３ａに丸孔１１Ａが形成されている。また、洗浄ノズル３の長手方向両端部には、長手方向外側へ行くに従って上下方向内側へ傾斜する傾斜面３ｂが形成されており、その傾斜面３ｂに丸孔１１Ａ´が形成されている。各丸孔１１Ａ，１１Ａ´は、各傾斜面３ａ，３ｂに対して垂直に開けられている。
【００４３】
洗浄ノズル３には、ノズル孔１１として、上述した丸孔１１Ａ，１１Ａ´以外に、長手方向中央部の側にスリット孔１１Ｂが形成される。具体的には、洗浄ノズル３には、長手方向中央部から所定範囲内にスリット孔１１Ｂ（好ましくは一つのスリット孔１１Ｂ）が形成され、この所定範囲とは、好ましくは、洗浄ノズル３の長手方向中央部から外端部までの距離の１／３〜１／４の領域とされる。
【００４４】
スリット孔１１Ｂは、図示例では、洗浄ノズル３の上面および／または下面に設けられるが、場合により短手方向の側面に設けられてもよい。また、スリット孔１１Ｂは、洗浄ノズル３の長手方向中央部を境に、少なくとも片側に設けられる。図示例では、図２に示すように、洗浄ノズル３の長手方向一方にのみ設けられるが、長手方向他方にも同様に（つまり左右対称に）設けられてもよい。
【００４５】
前述したとおり、洗浄ノズル３には、長手方向に間隔をあけて複数の丸孔１１Ａが形成されるが、その内、最も内側（洗浄ノズル３の長手方向中央部に近い側）の丸孔１１Ａよりも、内側にスリット孔１１Ｂを形成するのが好ましい。言い換えれば、洗浄ノズル３の長手方向中央部の側にスリット孔１１Ｂを形成し、それよりも外側に丸孔１１Ａ，１１Ａ´を形成するのが好ましい。いずれにしても、典型的には、各丸孔１１Ａ，１１Ａ´は、互いに同一の大きさとされ、スリット孔１１Ｂの断面積は、丸孔１１Ａ，１１Ａ´の断面積よりも小さく形成される。また、スリット孔１１Ｂは、その長手方向を、洗浄ノズル３の長手方向へ沿って形成されるのが好ましい。
【００４６】
なお、洗浄槽２内に上下複数段に設けられる洗浄ノズル３の内、最上段の洗浄ノズル３には、上方へ液体を噴射するノズル孔１１の形成を省略することができる。同様に、最下段の洗浄ノズル３には、下方へ液体を噴射するノズル孔１１の形成を省略することができる。
【００４７】
本実施例の洗浄ノズル３によれば、長手方向中央部の側のノズル孔１１をスリット孔１１Ｂとすることで、洗浄ノズル３の回転の中心部の側での液体の噴射流量を抑えて、その他のノズル孔１１（丸孔１１Ａ，１１Ａ´）からの噴射に回すことができる。しかも、スリット孔１１Ｂは、洗浄ノズル３の上面および／または下面において、洗浄ノズル３の長手方向に沿って形成されているので、スリット孔１１Ｂから扇形に噴射することができ、小流量でも広範囲の洗浄が可能となる。このようにして、洗浄ノズル３の位置に依らず、被洗浄物全体をバラつきなく洗浄することができる。
【００４８】
本発明の洗浄器１は、前記実施例の構成に限らず適宜変更可能である。特に、洗浄ノズル３は、長手方向中央部が支持部材１０に、縦軸まわりに回転可能に保持され、洗浄ノズル３には、ノズル孔１１として、長手方向に間隔をあけて複数の孔（たとえば丸孔１１Ａ，１１Ａ´）が形成されると共に、長手方向中央部の側に、長手方向に沿ったスリット孔１１Ｂが形成されるのであれば、その他の構成は適宜に変更可能である。
【００４９】
たとえば、各ノズル孔１１の断面積を比較したときに、洗浄ノズル３の長手方向中央部の側に形成されるスリット孔１１Ｂの大きさを最も小さくしつつ、それ以外のノズル孔１１として、場合により丸孔１１Ａ，１１Ａ´に代えて（または加えて）、他の形状の孔を形成してもよい。つまり、洗浄ノズル３には、ノズル孔１１として、長手方向に間隔をあけて複数の孔が形成されると共に、長手方向中央部の側に、長手方向に沿ったスリット孔１１Ｂが形成されており、このスリット孔１１Ｂの断面積が、前記複数の孔のそれぞれの断面積よりも小さいのであれば、スリット孔１１Ｂ以外の孔の形状は特に問わない。
【００５０】
また、前記実施例では、ノズル孔１１の内、複数の丸孔１１Ａは、洗浄ノズル３の長手方向に整列して形成したが、必ずしも一列に整列させる必要はない。また、丸孔１１Ａの形成間隔を一定間隔以外としたり、丸孔１１Ａ同士の直径を変えたりしてもよい。さらに、場合により、丸孔１１Ａは、洗浄ノズル３の短手方向の側面に代えて（またはその側面に加えて）、洗浄ノズル３の上下面などに適宜形成されてもよいことは前述したとおりである。
【００５１】
さらに、前記実施例において、洗浄後の被洗浄物を乾燥可能に、送風機をさらに備えてもよい。この場合、洗浄後の濡れた被洗浄物は、洗浄槽２へ供給される温風により乾燥を図られる。
【符号の説明】
【００５２】
１  洗浄器
２  洗浄槽（２ａ：傾斜面）
３  洗浄ノズル（３ａ，３ｂ：傾斜面）
４  液貯留部
５  給水手段
６  排水手段
７  薬液供給手段
８  循環手段
９  加熱手段
１０  支持部材
１１  ノズル孔（１１Ａ：丸孔、１１Ｂ：スリット孔）
１２  洗浄ラック
１３  配水部材
１４  循環ポンプ
１５  給水路
１６  給水弁
１７  排水路
１８  排水弁
１９  薬液タンク
２０  給液路
２１  薬液ポンプ
２２  循環配管
２３  逆止弁
２４  ヒータ
２５  液位検出器
２６  温度センサ
２７  超音波振動子
【図１】
2018202315.tif 000003
【図２】
2018202315.tif 000004
【図３】
2018202315.tif 000005
【図４】
2018202315.tif 000006
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
被洗浄物が収容される洗浄槽と、
この洗浄槽内に支持部材を介して保持され、前記支持部材を介して供給される液体を噴射させるノズル孔が形成された洗浄ノズルとを備え、
前記洗浄ノズルは、長手方向中央部が前記支持部材に、縦軸まわりに回転可能に保持され、
前記洗浄ノズルには、前記ノズル孔として、長手方向に間隔をあけて複数の丸孔が形成されると共に、長手方向中央部の側に、長手方向に沿ったスリット孔が形成されている
ことを特徴とする洗浄器。
【請求項２】
前記洗浄ノズルには、長手方向中央部から外端部までの距離の１／３〜１／４の領域に、前記スリット孔が形成されている
ことを特徴とする請求項１に記載の洗浄器。
【請求項３】
前記洗浄ノズルの長手方向中央部を境に、前記洗浄ノズルの長手方向一方には、短手方向一側面に前記丸孔が形成される一方、前記洗浄ノズルの長手方向他方には、短手方向他側面に前記丸孔が形成され、
前記洗浄ノズルの長手方向一方および／または他方には、上面および／または下面に前記スリット孔が形成されている
ことを特徴とする請求項１または請求項２に記載の洗浄器。
【請求項４】
被洗浄物が収容される洗浄槽と、
この洗浄槽内に支持部材を介して保持され、前記支持部材を介して供給される液体を噴射させるノズル孔が形成された洗浄ノズルとを備え、
前記洗浄ノズルは、長手方向中央部が前記支持部材に、縦軸まわりに回転可能に保持され、
前記洗浄ノズルには、前記ノズル孔として、長手方向に間隔をあけて複数の孔が形成されると共に、長手方向中央部の側に、長手方向に沿ったスリット孔が形成されており、
前記スリット孔の断面積は、前記複数の孔のそれぞれの断面積よりも小さい
ことを特徴とする洗浄器。
【手続補正２】
【補正対象書類名】明細書
【補正対象項目名】００１３
【補正方法】変更
【補正の内容】
【００１３】
請求項３に記載の発明は、前記洗浄ノズルの長手方向中央部を境に、前記洗浄ノズルの長手方向一方には、短手方向一側面に前記丸孔が形成される一方、前記洗浄ノズルの長手方向他方には、短手方向他側面に前記丸孔が形成され、前記洗浄ノズルの長手方向一方および／または他方には、上面および／または下面に前記スリット孔が形成されていることを特徴とする請求項１または請求項２に記載の洗浄器である。